(57)【特許請求の範囲】
【請求項１】
車両の前方を撮像する撮像手段により得られた画像より歩行者を検知する車両用の歩行者検知装置において、
前記画像から人間と推定される領域を切り出し、該切り出した人間推定領域の面積を特徴量として算出する特徴量算出手段と、
前記特徴量の時系列データからそのばらつきを示す統計量を算出し、該算出した統計量が判定閾値より大きいとき、前記人間推定領域に対応する像が、当該車両の進行方向に対してほぼ垂直の方向に歩行している歩行者であると判定する歩行者判定手段とを備え、
該歩行者判定手段は、前記特徴量の変動量の移動平均値を算出し、所定サンプル数の移動平均値の分散または標準偏差を、前記ばらつきを示す統計量として算出することを特徴とする歩行者検知装置。
【請求項２】
前記歩行者判定手段は、当該車両の車速が増加するほど、前記判定閾値をより大きな値に設定することを特徴とする請求項１に記載の歩行者検知装置。
【請求項３】
前記特徴量算出手段は、前記画像に含まれる対象物像に外接する四角形の縦横比に基づいて、前記人間推定領域の切り出しを行うことを特徴とする請求項１に記載の歩行者検知装置。
【発明の詳細な説明】
【０００１】
【発明の属する技術分野】
本発明は、テレビカメラなどの撮像装置により得られる画像に基づいて歩行者を検知する車両用の歩行者検知装置に関する。
【０００２】
【従来の技術】
特開平９−２５９２８２号公報には、歩行者などの移動障害物の検出装置が示されており、この装置は、撮像装置によって得られる画像上のオプティカルフローを抽出し、自車両の走行に起因するオプティカルフロー以外のフローを持つ領域を、画像内の移動障害物領域として抽出するものである。
【０００３】
また特開平７−５０８２５号公報には、建物に設置した撮像装置により人間や動物を監視するシステムが示されている。このシステムは、撮像装置と、これを搭載する回転台と、撮像装置により得られる画像を処理する画像処理装置とから構成され、画像内を移動する像を含む移動体領域を抽出し、さらに移動体領域の下部の領域の面積変化に基づいて歩行している人間を判定するものである。
【０００４】
また夜間での使用を考慮して、可視光線を検出する通常の撮像装置ではなく、遠赤外線を検出する赤外線撮像装置を使用して、周囲より高温である歩行者などの対象物を表示する暗視装置も従来より知られている。
【０００５】
【発明が解決しようとする課題】
しかしながら、特開平９−２５９２８２号公報に示された移動障害物検出装置は、移動する物体を検出することを目的としているため、歩行者だけでなく路上を移動する他の物体も検出する場合があり、歩行者のみを他の移動物体と区別して検出することはできない。またオプティカルフローの演算は、画像全体について行う必要があるため、専用のＤＳＰ（Digital Signal Processor）などを使用しなければならず、コストの上昇が避けられない。
【０００６】
また特開平７−５０８２５号公報に示されたシステムは、移動体領域の下部領域の面積変化の周波数成分が、人間の歩行に伴う面積変化周波数の近傍にあるとき、歩行者と判定するものであるが、人間の歩行に伴う面積変化周波数は、歩行の速度によって変動するものであるため、歩行者の判定が正確にできない場合があった。
また従来より知られている暗視装置では、高温の物体がすべて表示されるため、歩行者以外の高温物体が表示される場合があり、歩行者を選択的に抽出することは困難である。
【０００７】
本発明は上述した点に着目してなされたものであり、撮像装置により得られる画像に基づいて、比較的簡単な構成で歩行者を正確に検知することができる歩行者検知装置を提供することを目的とする。
【０００８】
【課題を解決するための手段】
上記目的を達成するため請求項１に記載の発明は、車両の前方を撮像する撮像手段により得られた画像より歩行者を検知する車両用の歩行者検知装置において、前記画像から人間と推定される領域を切り出し、該切り出した人間推定領域の面積を特徴量として算出する特徴量算出手段と、前記特徴量の時系列データからそのばらつきを示す統計量を算出し、該算出した統計量が判定閾値より大きいとき、前記人間推定領域に対応する像が、当該車両の進行方向に対してほぼ垂直の方向に歩行している歩行者であると判定する歩行者判定手段とを備え、該歩行者判定手段は、前記特徴量の変動量の移動平均値を算出し、所定サンプル数の移動平均値の分散または標準偏差を、前記ばらつきを示す統計量として算出することを特徴とする。
【０００９】
この構成よれば、車両前方を撮像する撮像手段により得られた画像から人間と推定される領域が切り出され、該切り出された人間推定領域の面積が特徴量として算出され、この特徴量の時系列データからそのばらつきを示す統計量が算出され、該算出された統計量が判定閾値より大きいとき、人間推定領域に対応する像が、当該車両の進行方向に対してほぼ垂直の方向に歩行している歩行者であると判定される。ばらつきを示す統計量としては、算出された特徴量の変動量の移動平均値の分散または標準偏差が使用される。したがって、比較的簡単な構成で、車両前方を横切る歩行者を正確に検知することができる。
【００１０】
請求項２に記載の発明は、請求項１に記載の歩行者検知装置において、前記歩行者判定手段は、当該車両の車速が増加するほど、前記判定閾値をより大きな値に設定することを特徴とする。
この構成によれば、歩行者判定に使用される判定閾値が、車速が増加するほどより大きな値に設定されるので、当該車両と対象物との距離が比較的遠い状態から接近するまでの広い範囲で正確な判定を行うことができる。
【００１１】
請求項３に記載の発明は、請求項１に記載の歩行者検知装置において、前記特徴量算出手段は、前記画像に含まれる対象物像に外接する四角形の縦横比に基づいて、前記人間推定領域の切り出しを行うことを特徴とする。
この構成によれば、対象物像の外接四角形の縦横比に基づいて、人間推定領域の切り出しが行われるので、例えば同一対象物像の縦横比の時間変動が大きい場合や縦横比の値が人間の場合と極端に異なる場合には、そのような対象物像を歩行者判定の対象から外すことが可能となり、判定精度の向上及び判定に必要な演算量の低減を図ることができる。
【００１２】
また、前記撮像手段は、遠赤外線を検出可能なものとし、前記特徴量算出手段は、前記撮像手段の出力信号が示す画像の明るさが切り出し閾値以上の領域を、前記対象物像として抽出することが望ましい。ここで切り出し閾値は、例えば画像内の明るさの最大値に１より小さい所定係数を乗算することにより設定する。
この構成により、歩行者と判定される可能性のある対象物像を簡単な構成で正確に切り出すことが可能となる。
【００１３】
【発明の実施の形態】
以下本発明の実施の形態を図面を参照して説明する。
図１は、本発明の一実施形態にかかる車両用歩行者検知装置の構成を示すブロック図であり、この装置は、遠赤外線を検出可能な撮像部１と、撮像部１から出力されるアナログ画像信号をディジタル画像信号に変換するＡ／Ｄ変換部２と、Ａ／Ｄ変換部２から出力されるディジタル画像信号を記憶する画像記憶部３と、人間推定領域を切り出すための明るさ（撮像部１から出力される撮像信号レベル）Ｂの閾値ＢＴＨ（以下「切り出し閾値ＢＴＨ」という）を設定する切り出し閾値設定部４と、切り出し閾値ＢＴＨを用いて、閾値ＢＴＨ以上の明るさの領域（対象物像）であって所定の条件を満たすものを、人間推定領域として切り出す領域切り出し部５と、切り出された人間推定領域の面積ＳＡを特徴量として算出する特徴量算出部６と、当該車両の走行速度（車速）ＶＣＡＲを検出する車速センサ７と、検出した車速ＶＣＡＲに応じて歩行者を判定するための判定閾値σＴＨを設定する判定閾値設定部８と、面積ＳＡの変動量Ｃ（ｋ）（＝ＳＡ（ｋ）−ＳＡ（ｋ−１）、ｋは連続的な時刻ｔをサンプリング時間間隔で離散化したパラメータ）を算出し、この変動量Ｃ（ｋ）に基づいて人間推定領域に対応する像が歩行者であるか否かを判定する歩行者判定部９と、撮像部１によって得られる画像及び歩行者判定部９による判定結果を表示するための表示部１１と、表示部１１に画像及び判定結果を表示させるための制御を行う表示制御部１０とを備えている。
【００１４】
図２は、図１の歩行者検知装置を実際に車両に搭載する場合の構成例を示す図であり、この例においては、運転者に道路の案内をするナビゲーション装置と歩行者検知装置とを組み合わせた運転補助システムとして構成されている。このシステムは、撮像部１に対応する遠赤外線カメラ１ａと、Ａ／Ｄ変換部２，画像記憶部３，切り出し閾値設定部４，領域切り出し部５，特徴量算出部６，判定閾値設定部８及び歩行者判定部９を構成する画像処理電子制御ユニット（以下「画像処理ＥＣＵ」という）と、ナビゲーション装置の電子制御ユニットであって、表示制御部１０としての機能を有するナビゲーションＥＣＵ２２と、表示部１１に相当するナビゲーション用ディスプレイ２３とで構成されている。
【００１５】
遠赤外線カメラ１ａは、例えば図３に示すように車両の前部のほぼ中央位置に配置される。またディスプレイ２３は、例えば運転席から容易に見える位置であって且つ前方視界を良好に維持できる位置に配置される。ナビゲーションＥＣＵ２２は，切り換えスイッチ（図示せず）の設定に応じて、ディスプレイ２３に表示する画像を、ナビゲーション用の画像、またはカメラ１ａにより撮像されている画像のいずれかに切り換える制御を行う。
【００１６】
図２の画像処理ＥＣＵ２１は、Ａ／Ｄ変換部２及び画像記憶部３に相当する画像前処理部３１と、切り出し閾値設定部４，領域切り出し部５，特徴量算出部６，判定閾値設定部８及び歩行者判定部９に対応し、各種演算処理を実行する画像処理ＣＰＵ３２と備えて構成される。
【００１７】
以下図１に示す構成に沿って歩行者検知装置の動作を説明する。
切り出し閾値設定部４は、画像全体の明るさの最大値ＢＭＡＸを検出し、この最大値ＢＭＡＸに１より小さい所定係数αを乗算することにより、切り出し閾値ＢＴＨを設定する。所定係数αは、撮像部１の特性などによって適切な値が変化するので、実験的に最適値に設定される。
【００１８】
領域切り出し部５は、先ず明るさＢが切り出し閾値ＢＴＨ以上の領域を、対象物像として抽出する。より具体的には、切り出し閾値ＢＴＨ以上の明るさの画素を抽出し、上下左右で連結している画素を結合して対象物像を切り出す。撮像部１は、遠赤外線を検出可能であるので、被写体の温度が高いほど、明るさＢが増加するので、閾値ＢＴＨ（所定係数α）を実験的に適切な値に設定することにより、人間と推定される可能性の有る対象物像を正確に抽出することができる。
【００１９】
領域切り出し部５は、次に、抽出した対象物像の外接四角形を設定し、その外接四角形の縦横比ＡＳＰを算出する。図４（ａ）に対象物像の例が、黒で塗りつぶした図形で示されている。外接四角形ＷＫは、対象物像を包含する最小の四角形であり、その縦横比ＡＳＰは、Ｙ／Ｘで定義される。そして、１つの対象物像に対応する縦横比ＡＳＰがほぼ同一の値を所定回数Ｎ０に亘って維持し、かつその縦横比ＡＳＰが所定下限値ＡＳＰＭＩＮと所定上限値ＡＳＰＭＡＸとの間にあるとき、その対象物像を人間推定領域として切り出す。
【００２０】
特徴量算出部６は、人間推定領域の面積ＳＡを特徴量としてサンプリング時間ＴＳ（例えば３３ｍｓｅｃ）毎に算出する。人間が車両の進行方向に対してほぼ垂直の方向に歩行している場合、人間推定領域は、図４（ａ）に黒で塗りつぶした領域として示すように変化し、その面積ＳＡは、同図（ｂ）に示すように周期的に変動するので、歩行者判定部９は、この変動を検出することにより人間推定領域に対応する像が、歩行者であるか否かを判定する。なお、人間推定領域は、図４（ａ）の黒く塗りつぶした領域であるが、その外接四角形ＷＫを人間推定領域としてもよい。
【００２１】
より具体的には、歩行者判定部９は先ず下記式（１）により変動量Ｃ（ｋ）の移動平均ＭＡ（ｋ）を算出し、さらに下記式（２）により移動平均ＭＡ（ｋ）の標準偏差σを算出する。
【数１】
0004267171.tif 000002
【数２】
0004267171.tif 000003
式（１）により（ｎ−１）回前の変動量Ｃ（ｋ−ｎ＋１）から今回の変動量Ｃ（ｋ）までのｎ個の値の移動平均ＭＡ（ｋ）が算出され、式（２）により（ｍ−１）回前の移動平均ＭＡ（ｋ−ｍ＋１）から今回の移動平均ＭＡ（ｋ）までのｍ個の値の標準偏差σが算出される。
【００２２】
式（１）による移動平均演算により、面積ＳＡの検出値に含まれる周波数の高い成分（ノイズ成分）が除去される。また標準偏差σは、移動平均ＭＡ（ｋ）、したがって面積変動量Ｃ（ｋ）のばらつきを示す統計量であり、この標準偏差σが判定閾値σＴＨ以上（例えばｍ個の移動平均ＭＡ（ｋ）の平均値の６％以上）であるときは、人間推定領域として切り出した像が、歩行者であると判定する。この処理は、面積変動量Ｃ（ｋ）の平均的な振幅が判定閾値を越える場合に、歩行者と判定することに相当する。
【００２３】
式（２）による標準偏差σの算出は、例えば対象が歩行者である場合の面積ＳＡの平均的な変動周期に１回の割合で実行することが望ましく、通常は０．５秒程度の周期で実行する。サンプリング周期ＴＳを３３ｍｓｅｃとすると、サンプル数ｍ＝０．５／０．０３３≒１５となる。また式（１）のｎは例えば４に設定する。
【００２４】
判定閾値設定部８は、車速ＶＣＡＲに応じて図５に示すように設定されたσＴＨテーブルを検索して判定閾値σＴＨを設定する。σＴＨテーブルは、車速ＶＣＡＲが高くなるほど、閾値σＴＨが増加するように設定されている。
【００２５】
図６は、この理由を説明するために面積ＳＡの推移を示すタイムチャートであり、同図のラインＬ１は、歩行者が車両の前方を横切っている場合に、車速ＶＣＡＲ＝０であって車両が停止している状態で観測したときの面積ＳＡの推移を示し、ラインＬ２は、車速ＶＣＡＲ＝４０ｋｍ／ｈの一定速度で接近中の車両から観測したときの面積ＳＡの推移を示す。面積変動量Ｃ（ｋ）は、面積ＳＡの微分値（図のラインＬ１，Ｌ２の傾き）に相当し、車両停止状態ではこの傾きの最大値は一定であるの対し、車両走行中はこの傾きの最大値が徐々に増加するため、面積変動量Ｃ（ｋ）がＶＣＡＲ＝０のときより増加する傾向を示す。この傾向は、車速ＶＣＡＲが高くなるほど、すなわち同図に破線で示すラインＬ３の傾きが増加するほど顕著となる。したがって、判定閾値σＴＨを車速ＶＣＡＲが高くなるほど増加させることにより、正確な判定を行うことが可能となる。
【００２６】
歩行者判定部９は、標準偏差σが判定閾値σＴＨ以上か否かを判別し、σ≧σＴＨであるとき、人間推定領域として切り出した像が歩行者であると判定し、その結果を表示制御部１０に入力する。表示制御部１０は、Ａ／Ｄ変換部２から出力される画像をそのまま表示部１１に表示させる制御を行うとともに、歩行者であると判定された場合には、対応する領域を例えば図７に示すように強調する制御を行う。これにより、運転者は前方を横切る歩行者が存在することを容易に認識することが可能となる。
【００２７】
以上のように本実施形態によれば、人間推定領域の面積ＳＡの変動量Ｃ（ｋ）の移動平均ＭＡ（ｋ）が算出され、さらにｍ個の移動平均ＭＡの標準偏差σが算出され、標準偏差σが車速ＶＣＡＲが高くなるほど大きな値に設定される判定閾値σＴＨ以上であるとき、人間推定領域として切り出した像が歩行者である判定されるので、比較的簡単な構成で走行中の車両から歩行者を正確に検知することができる。
【００２８】
図８は、図１に示したブロック４〜６，８及び９の機能を図２の画像処理ＣＰＵ３２による演算処理で実現する場合のフローチャートであり、この処理は上記したサンプリング周期ＴＳ毎に実行される。
ステップＳ１１では、切り出し閾値ＢＴＨの設定を行い、次いで図９に示す領域切り出し処理を実行し、明るさＢが切り出し閾値ＢＴＨ以上の画素の領域（対象物像）のうち、上述した縦横比ＡＳＰの条件を満たす領域を人間推定領域として切り出す（ステップＳ１２）。そして特徴量、すなわち人間推定領域の面積ＳＡの算出及び車速ＶＣＡＲに応じた判定閾値σＴＨの算出を行い（ステップＳ１３，Ｓ１４）、図１０に示す歩行者判定処理を実行する（ステップＳ１５）。
【００２９】
図９のステップＳ２１では、明るさＢが切り出し閾値ＢＴＨ以上の領域を対象物像として抽出し、次いでその対象物像の外接四角形の縦横比ＡＳＰを算出する（ステップＳ２２）。そして、この縦横比ＡＳＰを同一の対象物像についてサンプル周期毎に演算し、所定回数Ｎ０以上連続して所定範囲（例えば±５％の範囲）内に入っていることを条件として同一対象物像と判定したか否かを判別する（ステップＳ２３）。その答が肯定（ＹＥＳ）であるときは、さらに縦横比ＡＳＰが、所定下限値ＡＳＰＭＩＮ（例えば１．５）より大きくかつ所定上限値ＡＳＰＭＡＸより小さいか否かを判別する（ステップＳ２４）。所定下限値ＡＳＰＭＩＮ及び所定上限値ＡＳＰＭＡＸは、対象物像が人間である可能性が高い範囲を示す縦横比ＡＳＰの下限値及び上限値である。
【００３０】
その結果、ステップＳ２３またはＳ２４の答が否定（ＮＯ）のときは、その対象物が歩行者である可能性が低いので、その対象物像を歩行者判定の対象としての人間推定領域から除外する（ステップＳ２６）一方、縦横比ＡＳＰが所定回数Ｎ０以上に亘ってほぼ同一の値を示し、且つＡＳＰＭＩＮ＜ＡＳＰ＜ＡＳＰＭＡＸを満たしたときは、その対象物像を人間推定領域として切り出す（ステップＳ２５）。
【００３１】
このように、対象物像であってもその外接四角形の縦横比ＡＳＰが不安定であるとき、あるいは縦横比ＡＳＰの値が人間の場合の典型的な値からはずれているときは、人間推定領域として切り出さないようにすることにより、図１０の処理による歩行者判定精度の向上を図るとともに、ＣＰＵの演算負荷の低減させることができる。
【００３２】
図１０に示す歩行者判定処理のステップＳ３１では、特徴量、すなわち面積ＳＡの時間変動量（＝ＳＡ（ｋ）−ＳＡ（ｋ−１））を配列Ｃ（ｋ）に代入し、次いで前記式（１）（２）により面積変動量Ｃ（ｋ）の移動平均ＭＡ（ｋ）及び移動平均ＭＡ（ｋ）の標準偏差σを算出し（ステップＳ３２，Ｓ３３）、標準偏差σが判定閾値σＴＨ以上か否かを判別する（ステップＳ３４）。その結果、σ≧σＴＨであるときは、人間推定領域に対応する像が歩行者であると判定し（ステップＳ３４）、σ＜σＴＨであるときは、歩行者以外と判定する（ステップＳ３６）。
【００３３】
以上のように図８〜図１０の処理を画像処理ＣＰＵ３２で実行することにより、図１の切り出し閾値設定部４，領域切り出し部５，特徴量算出部６，判定閾値設定部８及び歩行者判定部９の機能が実現される。
本実施形態では、画像記憶部３，切り出し閾値設定部４，領域切り出し部５及び特徴量算出部６が特徴量算出手段に相当し、判定閾値設定部８及び歩行者判定部９が歩行者判定手段に相当し、面積ＳＡ及び面積変動量Ｃ（ｋ）がそれぞれ特徴量及び変動量に相当し、面積変動量Ｃ（ｋ）の移動平均値の標準偏差が、ばらつきを示す統計量に相当する。
【００３４】
なお本発明は上述した実施形態に限るものではなく、種々の変形が可能である。例えば、上述した実施形態では、検出された人間推定領域について当該車両との距離に拘わらず、歩行者判定を行うようにしたが、両者が非常に離れている場合及び非常に接近している場合を除外して、両者の距離が所定範囲内にあるときのみ、歩行者判定を行うようにしてもよい。そのような場合には、判定閾値σＴＨは、車速ＶＣＡＲに応じて変更せずに一定値としてもよい。非常に離れている場合を除外するには、例えば人間推定領域の面積ＳＡが所定面積値以下の場合に判定を行わないようにし、非常に接近している場合を除外するには、例えば面積変動量Ｃ（ｋ）が所定変動量以上の場合に判定を行わないようにすればよい。
【００３５】
また上述した実施形態では、撮像手段として、遠赤外線を検出可能なカメラを使用したが、可視光線のみ検出可能な通常のカメラを使用してもよい。その場合には、例えば前述した特開平９−２５９２８２号公報に示されたような移動障害物検出手法や、ビデオカメラによって得られる濃度値が周辺濃度に対して変化があり、かつ面積がある程度以上あるものを抽出する手法（第１３回日本ロボット学会学術講演会（平成７年１１月）での報告）などを用いて人間推定領域を切り出すようにすればよい。
【００３６】
また特徴量のばらつきを示す統計量として、上述した実施形態では標準偏差σを用いたが、例えば分散ＶＲ（＝σ2）やｍ個のサンプル値（ＭＡ）の最大値と最小値との差Ｒを用いてもよい。
また上述した実施形態では、車速ＶＣＡＲに応じて判定閾値σＴＨを設定したが、判定閾値σＴＨを一定とし、標準偏差σを、車速ＶＣＡＲが高くなるほど減少する補正係数を乗算することにより補正するようにしてもよい。
【００３７】
また上述した実施形態では、切り出し閾値設定部４は、画像内の明るさの最大値に１より小さい係数αを乗算して切り出し閾値ＢＴＨを設定したが、これに限るものではなく、明るさの分布ヒストグラムを算出し、暗い背景と明るい対象による最小値と最大値とを検索し、その中間に切り出し閾値ＢＴＨを設定するようにしてもよい。あるいは、前述したいずれかの手法で切り出し閾値を設定して切り出し領域を決定し、さらに前回までの人間推定領域を特定する情報（画面上の位置や広がり示す情報）を用いて前記切り出し領域を補正することにより、今回の人間推定領域を決定するようにしてもよい。
【００３８】
【発明の効果】
以上詳述したように請求項１に記載の発明によれば、車両前方を撮像する撮像手段により得られた画像から人間と推定される領域が切り出され、該切り出された人間推定領域の面積が特徴量として算出され、この特徴量の時系列データからそのばらつきを示す統計量が算出され、該算出された統計量が判定閾値より大きいとき、人間推定領域に対応する像が、当該車両の進行方向に対してほぼ垂直の方向に歩行している歩行者であると判定される。ばらつきを示す統計量としては、算出された特徴量の変動量の移動平均値の分散または標準偏差が使用される。したがって、比較的簡単な構成で、車両前方を横切る歩行者を正確に検知することができる。
【００３９】
請求項２に記載の発明によれば、歩行者判定に使用される判定閾値が、車速が増加するほどより大きな値に設定されるので、当該車両と対象物との距離が比較的遠い状態から接近するまでの広い範囲で正確な判定を行うことができる。
請求項３に記載の発明によれば、対象物像の外接四角形の縦横比に基づいて、人間推定領域の切り出しが行われるので、例えば同一対象物像の縦横比の時間変動が大きい場合や縦横比の値が人間の場合と極端に異なる場合には、そのような対象物像を歩行者判定の対象から外すことが可能となり、判定精度の向上及び判定に必要な演算量の低減を図ることができる。
【図面の簡単な説明】
【図１】本発明の一実施形態にかかる歩行者検知装置に構成を示すブロック図である。
【図２】図１に示す装置を車両に搭載する場合の構成例を示すブロック図である。
【図３】撮像装置の配置を説明するための図である。
【図４】歩行者に特有の特徴量の推移を説明するための図である。
【図５】判定閾値を車速に応じて設定するためのテーブルを示す図である。
【図６】人間推定領域の面積変動量が車速によって変化することを説明するための図である。
【図７】歩行者を検知したときの表示を説明するための図である。
【図８】図１に示すブロックの機能を実現するための処理手順を示すフローチャートである。
【図９】図８の領域切り出し処理を詳細に示すフローチャートである。
【図１０】図８の歩行者判定処理を詳細に示すフローチャートである。
【符号の説明】
１  撮像部（撮像手段）
２  Ａ／Ｄ変換部
３  画像記憶部（特徴量算出手段）
４  切り出し閾値設定部（特徴量算出手段）
５  領域切り出し部（特徴量算出手段）
６  特徴量算出部（特徴量算出手段）
７  車速センサ
８  判定閾値設定部（歩行者判定手段）
９  歩行者判定部（歩行者判定手段）
【図１】
0004267171.tif 000004
【図２】
0004267171.tif 000005
【図３】
0004267171.tif 000006
【図４】
0004267171.tif 000007
【図５】
0004267171.tif 000008
【図６】
0004267171.tif 000009
【図７】
0004267171.tif 000010
【図８】
0004267171.tif 000011
【図９】
0004267171.tif 000012
【図１０】
0004267171.tif 000013